(57)【要約】【課題】小さい力で強力な効果を得るとともに、力を自在に調節してマッサージすることができ、マッサージ効果を増大させる。【解決手段】マッサージ器２は、２本の棒材３、４と、これら棒材３、４の一端同士３Ａ、４Ａを支点として開閉自在に接続した接続具５とを備えて構成される。棒材３、４の長さ方向Ｌｄには、互いに対応する位置に弾性変形可能な柔軟材６Ａ〜６Ｄが貼着される、これら棒材３、４の柔軟材６Ａ〜６Ｄの間に身体の一部を挟み押圧するかまたは押圧と緩和とを繰り返してマッサージするようになっている。接続具５は、棒材３、４を捻れ状態で開閉させることもできるようになっている。【選択図】図５
2006042891.tif 000002
【特許請求の範囲】
【請求項１】
複数の棒材と、これら棒材の一端同士を支点として開閉自在に接続した接続具とを備え、これら棒材の間に身体の一部を挟み押圧するかまたは押圧と緩和とを繰り返すことを特徴とするマッサージ器。
【請求項２】
棒材の長さ方向には、互いに対応する位置に弾性変形可能な柔軟材が貼着されることを特徴とする請求項１に記載にマッサージ器。
【請求項３】
接続具は、複数の棒材を捻れ状態で開閉させることを特徴とする請求項１または２に記載のマッサージ器。
【請求項４】
棒材端部には、弾性を有する指圧材が冠着されることを特徴とする請求項１ないし３のうちいずれか１に記載のマッサージ器。
【発明の詳細な説明】
【技術分野】
【０００１】
本発明は、マッサージ器に関し、特に、整体術に用いられるマッサージ器に関するものである。
【背景技術】
【０００２】
一般に、マッサージ器として知られているものには、棒材の一端にボール状の硬材を取り付けたものや、握り部に逆Ｊ字状の金属製棒材を延ばして設け、金属製棒材の先端部に先の尖った押圧材を取り付けたものが知られている。また、より効果的なマッサージ効果を上げるため、マッサージリングやローリング体を担持している軸を連結部で弾性的に撓み可能にしたマッサージ器が提案されている（特許文献１参照）。
【特許文献１】特開平６−３１９７７３号公報（第２頁、図１）
【発明の開示】
【発明が解決しようとする課題】
【０００３】
しかしながら、上記従来のマッサージ器では、専ら使用者自身が用いることが多く、例えば、整体術のように施術者が強い力で身体の一部を押圧したり、押圧と緩和を繰り返したりするのに用いるには、強度や使い勝手の面で問題がある。
【０００４】
本発明は、上記課題を解決するためになされたもので、簡素な構成でしかも小さい力で強力な効果を発揮でき、使用時、同時に身体の複数の部分を自在に力を調節してマッサージすることができるマッサージ器を提供することを目的とするものである。
【課題を解決するための手段】
【０００５】
本発明に係るマッサージ器は、複数の棒材と、これら棒材の一端同士を支点として開閉自在に接続した接続具とを備え、これら棒材の間に身体の一部を挟み押圧するかまたは押圧と緩和とを繰り返すようにしたものである。
【０００６】
本発明に係るマッサージ器では、複数の棒材と、これら棒材の一端同士を支点として開閉自在に接続した接続具とを備え、これら棒材の間に身体の一部を挟み押圧するかまたは押圧と緩和とを繰り返すようにしたことにより、棒材の開放端側を使用者が手に持って、身体の一部を棒材の間に挟み込み、てこの原理を利用して締め付けたり開放したりして、押圧するかまたは押圧と緩和とを繰り返しマッサージすることができる。このため、わずかな力で挟み込んだ身体の一部に強い力を与えることができ、しかもその力（力点）は、支点としての接続具からの距離に応じて自在に調節することができる。また、挟み込むようにしているので、同時に身体の複数の部分をマッサージすることができる。このため、マッサージ効果が増大する。
【０００７】
また、請求項２に係るマッサージ器は、棒材の長さ方向には、互いに対応する位置に弾性変形可能な柔軟材が貼着されるようにしたものである。
【０００８】
請求項２に係るマッサージ器では、棒材の長さ方向には、互いに対応する位置に弾性変形可能な柔軟材が貼着されるようにしたことにより、柔軟材の部分に身体の一部を挟み込むようにすると、外部からの施術の力が柔らかく伝わるので、快適に施術を受けることができる。
【０００９】
さらに、請求項３に係るマッサージ器は、接続具は、複数の棒材を捻れ状態で開閉させるようにしたものである。
【００１０】
請求項３に係るマッサージ器では、接続具は、複数の棒材を捻れ状態で開閉させるようにしたことにより、身体の挟み込む部位を微妙にずらして力を加えることができるので、施術を多様に変化させることができ、施術の可能性が増大する。
【００１１】
また、請求項４に係るマッサージ器は、棒材端部には、弾性を有する指圧材が冠着されるようにしたものである。
【００１２】
請求項４に係るマッサージ器では、棒材端部には、弾性を有する指圧材が冠着されるようにしたことにより、挟み込みによる施術に加え、棒材端部の指圧材により指圧も行うことができるので、施術の多様性が増大する。
【発明の効果】
【００１３】
本発明に係るマッサージ器は、複数の棒材と、これら棒材の一端同士を支点として開閉自在に接続した接続具とを備え、これら棒材の間に身体の一部を挟み押圧するかまたは押圧と緩和とを繰り返すようにしているので、小さい力で強力な効果を発揮でき、使用時、同時に身体の複数の部分を自在に力を調節してマッサージすることができ、マッサージ効果を増大させることができる。
【発明を実施するための最良の形態】
【００１４】
小さい力でより大きなかつより多様性に富んだマッサージ効果を得るという目的を、複数の棒材の一端同士をてこの支点として作用する接続具により開閉自在に接続して構成することにより実現した。
【実施例１】
【００１５】
以下、図面に示す実施の形態により本発明を説明する。図１ないし図３はそれぞれ本発明の一実施例に係るマッサージ器を示す正面図、平面図および底面図である。本実施の形態に係るマッサージ器２は、図１に示すように、２本の金属製または木製の棒材３、４を備えて構成される。これら棒材３、４の一端部３Ａ、４Ａには、貫通孔３Ｂ、４Ｂがそれぞれ形成され、これら貫通孔３Ｂ、４Ｂには、棒材３、４同士を一端で接続する接続具５が取り付けられる。この接続具５は、合成樹脂製あるいは金属製の紐状材から構成され、図５に示すように、棒材３、４同士が開閉自在に動く長さＬ１を確保するようになっている。この接続具５は、棒材３、４間にものを挟んで、棒材３、４の開放端側にものを挟み付けるような外力が加わると、支点として働くようになっている。接続具５の長さＬは、棒材４、５が捻れ状態で開閉することもできるような長さとなっている。接続具５は、棒材３、４間を結ぶ長さＬを調整できるようになっている。すなわち、棒材３、４の長さ寸法に応じて調整することができるようになっている。本実施例の棒材の長さはおよそ９００mm、径はおよそ１８mmである。
【００１６】
棒材３、４の長さ方向Ｌｄには、複数の個所に互いに対応する位置で弾性変形可能な柔軟材（例えばウレタンフォーム）６Ａ〜６Ｄが貼着される。柔軟材６Ａ〜６Ｄの部分に身体の一部を挟み込むようにすると、外部からの施術の力が柔らかく伝わるようになっている。棒材３、４の両端部には、ごむまたは合成樹脂からなる弾性を有する指圧材７が冠着される。
【００１７】
次に、上記実施例に係るマッサージ器の作用について説明する。この実施例に係るマッサージ器２は、使用する際、図６に示すように、マッサージまたは整体術の施術者が棒材３、４の開放端側を手に持ち、被術者の身体の一部を棒材３、４のいずれかの柔軟材６Ａ〜６Ｄの間に挟み込み、てこの原理を利用して締め付けたり開放したりして、押圧するかまたは押圧と緩和とを繰り返しマッサージすることができる。このため、わずかな力で挟み込んだ身体の一部に強い力を与えることができ、しかもその力（力点）は、支点としての接続具５からの距離に応じて自在に調節することができる。また、挟み込むようにしているので、同時に身体の複数の部分をマッサージすることができる。このため、マッサージ効果が増大する。柔軟材６Ａ〜６Ｄの部分に身体の一部を挟み込むようにしているので、外部からの施術の力が柔らかく伝わり、快適に施術を受けることができる。身体の部位によっては、柔軟材６Ａ〜６Ｄに挟み込まず、直接、棒材３、４に挟むようにしてもよい。さらに、接続具５は、棒材３、４を捻れ状態で開閉させることができるようになっているので、身体の挟み込む部位を微妙にずらして力を加えることができる。このため、施術を多様に変化させることができ、施術の可能性を増大させることができる。また、挟み込みによる施術に加え、棒材３、４端部の指圧材７により指圧も行うことができるので、施術の多様性が増大する。
【００１８】
なお、上記実施例では、棒材３、４の一端部３Ａ、４Ａには、貫通孔３Ｂ、４Ｂがそれぞれ形成され、これら貫通孔３Ｂ、４Ｂには、棒材３、４同士を一端で接続する接続具５が設けられているがこれに限られるものではなく、一端部３Ａ、４Ａを平板状に形成して貫通孔を形成し、これら平板状端部を重ね合わせて貫通孔にピンを挿通させて接続するようにしてもよい。さらに、接続具をごむにより構成するようにしてもよい。また、棒材を金属製または木製としているがこれに限られるものではなく剛性を有するものであれば合成樹脂であってもよい。さらに、棒材３、４を２本で構成しているがこれに限られるものではなく、接続具により２本以上の棒材を接続するようにしてもよい。また、棒材３、４棒材３、４は剛体で構成しているがこれに限られるものではなく、棒材を所定の曲げ弾性を有する部材で構成し、棒材間にものを挟んで開放端側に一定以上の押圧力がかかると、撓るようにし、過大な力が作用点に、すなわち、身体の一部に集中して作用することがないようにしてもよい。さらに。上記実施例では、棒材の長さをおよそ９００mm、径をおよそ１８mmとしているが、これに限られるものではなく、マッサージの目的や部位に応じて、長さや径を変えてもよいことはいうまでもない。
【図面の簡単な説明】
【００１９】
【図１】本発明の一実施例に係るマッサージ器を示す正面図である。（実施例１）
【図２】図１のマッサージ器の平面図である。
【図３】図１のマッサージ器の底面図である。
【図４】図１のマッサージ器の側面図である。
【図５】図１のマッサージ器の開放状態を示す説明図である。
【図６】図１のマッサージ器の使用状態を示す説明図である。
【符号の説明】
【００２０】
２  マッサージ器
３、４  棒材
３Ａ、４Ａ  棒材の一端部
５  接続具
【図１】
2006042891.tif 000003
【図２】
2006042891.tif 000004
【図３】
2006042891.tif 000005
【図４】
2006042891.tif 000006
【図５】
2006042891.tif 000007
【図６】
2006042891.tif 000008